(57)【要約】【課題】厳しい振動条件に対応する耐振性を備える電気コンタクトを提供する。【解決手段】相手側ハウジングと互いに嵌合されるハウジング２０と、圧入部５０を介してハウジング２０に保持される複数のコンタクト４０Ａと、を備え、コンタクト４０Ａの圧入部５０は、第１圧入部５１と、第１圧入部５１と所定の間隔Ｐを隔てて設けられ、第１圧入部５１よりもコンタクト４０Ａの挿入の向きの後方に設けられる第２圧入部５５と、を備える電気コネクタ１０。電気コネクタ１０は、第１圧入部５１と第２圧入部５５の少なくとも二か所でコンタクト４０Ａをハウジング２０に保持することにより保持長を長くしつつ、コンタクトの保持力を確保することができる。【選択図】図３
2016018595.tif 000002
【特許請求の範囲】
【請求項１】
相手側ハウジングと互いに嵌合されるハウジングと、
圧入部を介して前記ハウジングに保持される複数のコンタクトと、を備え、
複数の一部又は全部の前記コンタクトの前記圧入部は、
第１圧入部と、
前記第１圧入部と所定の間隔Ｐを隔て、かつ、前記第１圧入部よりも圧入の際に前記コンタクトを挿入する向きの後方に設けられる第２圧入部と、を備える、
ことを特徴とする電気コネクタ。
【請求項２】
前記第２圧入部は、前記第１圧入部よりも前記ハウジングに対する圧入代が小さい、
請求項１に記載の電気コネクタ。
【請求項３】
前記ハウジングは、前記挿入の向きに延びる圧入孔を備え、
前記圧入孔は、
前記第１圧入部が圧入される第１圧入孔と、前記挿入の向きの後方において前記第１圧入孔に連なり、前記第２圧入孔が圧入される第２圧入孔と、を備え、
前記第２圧入孔の前記挿入の向きの寸法Ｄは、前記第１圧入部と前記第２圧入部の間の前記間隔Ｐ以下である、
請求項２に記載の電気コネクタ。
【請求項４】
前記第１圧入孔における圧入の向きの寸法をＷ２４とし、
前記第２圧入孔における前記圧入の向きの寸法をＷ２５とすると、
Ｗ２５＞Ｗ２４を満たす、
請求項２又は請求項３に記載の電気コネクタ。
【請求項５】
前記第１圧入部における前記圧入の向きの寸法をＷ５１Ａとし、
前記第２圧入部における前記圧入の向きの寸法をＷ５５Ａとすると、
Ｗ２４＜Ｗ５１Ａ  及び Ｗ２５＜Ｗ５５Ａ  を満たす、
請求項４に記載の電気コネクタ。
【請求項６】
前記電気コネクタは、前記圧入部を介して複数の前記コンタクトを保持する保持壁を備え、
複数の前記コンタクトは、前記保持壁を貫通して接続対象に接続され、
前記保持壁を貫通する部位から前記接続される部位までの露出長が最も長い前記コンタクトに適用される、
請求項１〜５のいずれか一項に記載の電気コネクタ。
【請求項７】
前記露出長が最も長い前記コンタクトに対応する前記保持壁の部位は、
他の前記コンタクトに対応する前記保持壁の部位よりも、前記コンタクトが引き出される向きの突出量が大きい、
請求項６に記載の電気コネクタ。
【発明の詳細な説明】
【技術分野】
【０００１】
本発明は、振動環境下で使用されるのに好適な電気コネクタに関する。
【背景技術】
【０００２】
電気機器間に設けられ、制御信号あるいは電力を伝達する機器としての電気コネクタ（以下、単にコネクタという）は、種々の用途に用いられる。この中で、例えば自動車に搭載されるコネクタは、自動車の走行に伴って振動を受けるので、耐振性を備える必要がある。
コネクタは、制御信号等の伝達を直接担う端子金具（以下、コンタクトという）と、コンタクトを保持するコネクタハウジング（以下、単にハウジングという）と、を主たる構成要素として備える。耐振性については、ハウジング及びコンタクトが単体で所定の耐振性を備えることが必要である。加えて、コンタクトがハウジングに保持された状態で、コンタクト及びハウジングが受ける振動に対して、所定の期間に亘ってコンタクト及びハウジングが損傷することなく当初の健全な状態を維持することが必要である。
コネクタにおいて、コンタクトをハウジングに保持させる手法として、圧入が用いられる。この圧入によるコンタクトの保持が不十分であると、コネクタが受けた振動に基づいてコンタクトに許容しがたい振動が生じることがある。したがって、コンタクトのハウジングに対する圧入手法が、耐振性にとって重要である。
【０００３】
コンタクトのハウジングへの圧入について、これまで種々の提案がなされている。
例えば、特許文献１は、軸方向に間隔をあけた２箇所に圧入部（湾曲凸部２０）をコンタクト（１０）に設け、ハウジングに圧入したコンタクトの先端側の浮き上がりを防止したコネクタを開示している。
また、特許文献２は、コンタクト（２５）にハウジング（２１）のコンタクト圧入部（４２）に噛み合う係合軸部（５１）を設け、コンタクトが抜けるのを防止するとともに、ハウジングのＺ方向規制部（４１）に挿入される被規制部（５２）を設け、コンタクト（２５）の挿入深さを位置決めするコネクタを開示する。
【先行技術文献】
【特許文献】
【０００４】
【特許文献１】特開２０１２−１４６４５４号公報（図７）
【特許文献２】特開２０１２−１４２１５２号公報（図１）
【発明の概要】
【発明が解決しようとする課題】
【０００５】
以上のようにコンタクトの圧入について提案がなされているが、耐振性について十分に考慮されたものではない。特に、特許文献１，２を含め、従来の技術においては、振動源に近い領域で使用されるなど、振動が厳しい条件に対応する耐振性を満足することは難しい。
本発明は、このような課題に基づいてなされたもので、厳しい振動条件に対応する耐振性を備えるコネクタを提供することを目的とする。
【課題を解決するための手段】
【０００６】
本発明者は、コネクタについて振動を加える実験を繰り返すことで、加えられた振動により共振することが、コンタクトが破断するなどの損傷の原因であることを確認した。ここで、ハウジングに保持されるコンタクトの固有振動数が、加えられる振動の周波数帯域を超えていれば、共振を避けることができる。コンタクトの固有振動数を調整して振動の周波数から固有振動数をずらすには、ハウジングによる保持部位から接続対象に向けて引き出される部分のコンタクトの長さ（以下、露出長という）を短くすることが有効であり、そのためには圧入により保持される長さ（保持長）を長くすればよい。
【０００７】
そこでなされた本発明の電気コネクタは、相手側ハウジングと互いに嵌合されるハウジングと、圧入部を介してハウジングに保持される複数のコンタクトと、を備え、複数の一部又は全部のコンタクトの圧入部は、第１圧入部と、第１圧入部と所定の間隔Ｐを隔てて設けられ、第１圧入部よりも圧入の際にコンタクトを挿入する向きの後方に設けられる第２圧入部と、を備えることを特徴とする。
本発明の電気コネクタによると、第１圧入部と第２圧入部の少なくとも二か所でコンタクトをハウジングに保持することにより保持長を長くしつつ、コンタクトの保持力を確保することができる。また、本発明の電気コネクタによると、圧入のために押し込む操作を行う際に嵌合方向の二か所でコンタクトをハウジングに支持させることができるので、押し込みによる軸力によってコンタクトが傾くのを防ぎ、コンタクトが損傷、典型的には座屈するのを避けることができる。これにより、コンタクトを圧入する際の圧入不良を防止することができる。
【０００８】
本発明の電気コネクタにおいて、第２圧入部を、第１圧入部よりもハウジングに対する圧入代を小さくすることが好ましい。
この電気コネクタによると、第２圧入部の圧入代が小さくし、その分だけコンタクトを押し込むのに必要な力を軽減することができるので、コンタクトの圧入作業を容易にすることができる。
【０００９】
本発明の電気コネクタにおいて、ハウジングが挿入の向きに延びる圧入孔を備える場合に、圧入孔は、第１圧入部が圧入される第１圧入孔と、挿入の向きの後方において第１圧入孔に連なり、第２圧入孔が圧入される第２圧入孔と、を備え、第２圧入孔の挿入の向きの寸法Ｄは、第１圧入部と第２圧入部の間の間隔Ｐ以下であることが好ましい。
この電気コネクタによると、圧入のためにコンタクトを押し込む過程において、第１圧入部の圧入が開始されるときには、第２圧入部の圧入が開始されるか、または、圧入が既に開始されていることになる。したがって、この電気コネクタによると、嵌合方向の二か所でコンタクトをハウジングに支持させることができるので、圧入作業時にコンタクトが座屈して圧入不良が生じるのをより確実に防ぐことができる。
【００１０】
本発明の電気コネクタにおいて、第１圧入孔における圧入の向きの寸法をＷ１とし、第２圧入孔における圧入の向きの寸法をＷ２とすると、Ｗ２＞Ｗ１を満たすことが好ましい。
Ｗ２＞Ｗ１を満たすことにより、第２圧入部の圧入代を第１圧入部の圧入代よりも小さくすることを確保しつつ、第１圧入部が第２圧入孔を通過する際に、第２圧入孔を取り囲むハウジングが傷つくのを防止できるか又は軽減できる。この効果をより確実に得るために、第１圧入部における圧入の向きの寸法をＷ５１Ａとし、第２圧入部における圧入の向きの寸法をＷ５５Ａとすると、Ｗ２４＜Ｗ５１Ａ  及び Ｗ２５＞Ｗ５５Ａ  を満たすことが好ましい。なお、本発明において、圧入の向きとは、第１圧入部５１と第２圧入部５５を圧入するとハウジングとの間に生じる力の向きをいう。
【００１１】
本発明の電気コネクタにおいて、圧入部を介して複数のコンタクトを保持する保持壁を備え、複数のコンタクトが、保持壁を貫通して接続対象に接続される場合には、保持壁を貫通する部位から接続される部位までの露出長が最も長いコンタクトに本発明が適用されることが好ましい。
このように、本発明は、最も振動の影響を受けやすい露出長の長いコンタクトに本発明を選択的に適用することができる。
【００１２】
本発明の電気コネクタにおいて、露出長が最も長いコンタクトに対応する保持壁の部位を、他のコンタクトに対応する保持壁の部位よりも、コンタクトが引き出される向きの突出量を大きくすることにより、コンタクトの露出長を短くすることができる。
【発明の効果】
【００１３】
本発明によれば、コンタクトの露出長を短くするのに対応して、第１圧入部と第２圧入部の少なくとも二か所でコンタクトをハウジングに保持することにより保持長を長くしつつ、コンタクトの保持力を確保することができるので、耐振性に優れたコネクタが提供される。また、本発明のコネクタによると、圧入のために押し込む操作を行う際に嵌合方向の二か所でコンタクトをハウジングに支持させることができるので、コンタクトが座屈するなどして圧入不良が生じるのを防ぐことができる。
【図面の簡単な説明】
【００１４】
【図１】本実施の形態における電気コネクタを示す斜視図であり、（ａ）は前方から示す図、（ｂ）は後方から示す図、（ｃ）は（ｂ）の上下を反転した図である。
【図２】図１に示すコネクタを示す斜視図であり、（ａ）は縦断面を示し、（ｂ）は（ａ）のIIb部の拡大図である。
【図３】図１に示すコネクタのコンタクトを示し、（ａ）は平面図、（ｂ）は（ａ）の部分拡大図、（ｃ）は（ａ）のさらなる部分拡大図である。
【図４】図１に示すコネクタのハウジングを示し、（ａ）は最上位の圧入孔２３Ａに係る横断面図、（ｂ）は（ａ）ののIVb部の拡大図、（ｃ）は縦断面図である。
【図５】図１に示すハウジングにコンタクトを圧入する過程を示す図であり、（ａ）は圧入の初期を示し、（ｂ）は圧入の完了を示す。
【図６】図５のVI部の拡大図であり、（ａ）は圧入の初期を示し、（ｂ）は（ａ）よりも圧入が進んだ状態を示し、（ｃ）は（ｂ）よりも圧入が進んだ状態を示し、（ｄ）は圧入の完了を示す。
【図７】本実施形態に対する比較例に係るコネクタの要部を示す。
【発明を実施するための形態】
【００１５】
以下、添付図面に示す実施の形態に基づいて、この発明を詳細に説明する。
本実施形態に係るコネクタ１０は、図示を省略する回路基板に実装されるものであり、図１に示すように、ハウジング２０と、ハウジング２０に圧入により保持される複数のコンタクト４０と、を備えている。コネクタ１０は、耐振性が向上されており、特に振動を受けてもコンタクト４０が折損するのを防止できる構造を備えている。
なお、コネクタ１０において、図示を省略する相手コネクタと互いに嵌合される側を前、その反対側を後とし、回路基板が配置される図１（ａ），（ｂ）の下方を下、その反対側を上と定義する。この定義は、本願発明にも適用されるものとする。
【００１６】
＜ハウジング２０＞
ハウジング２０は、図１及び図２に示すように、複数のコンタクト４０を保持するコンタクト保持壁２１を備える。ハウジング２０は、コンタクト保持壁２１よりも前方側に相手コネクタとの嵌合を担う筒状の嵌合フード２８が、また、後方側にはコンタクト保持壁２１から後方に引き出されるコンタクト４０を覆う保護カバー２９が設けられる。コンタクト保持壁２１と、嵌合フード２８と、保護カバー２９とは、絶縁性の樹脂を射出成形することにより一体に形成される。
【００１７】
コンタクト保持壁２１は、コンタクト４０が圧入される圧入孔２３が、厚さ方向に貫通して形成されている。圧入孔２３は、保持されるコンタクト４０に対応する数だけ、高さ方向及び幅方向に並んで設けられている。本実施形態において、圧入孔２３は高さ方向Ｙに５段に設けられている。
コンタクト保持壁２１には、各々の圧入孔２３に対応する位置に、前後方向（または嵌合方向）Ｘに向けて突出する圧入サポート２２が形成されている。圧入サポート２２は、幅方向Ｚに延びる突条の形態を有しており、圧入孔２３はこの圧入サポート２２をも含めて貫通している。本実施形態において、高さ方向Ｙの最上位に設けられる圧入孔２３（２３Ａとする）に対応する圧入サポート２２（２２Ａとする）は、それよりも下方に設けられる圧入サポート２２に比べて、コンタクト４０が引出される後方に向けた突出量が大きく形成されている。これにより、最上位に位置する圧入孔２３Ａに圧入されるコンタクト４０は、保持長が他に比べて長くなり、その分だけ、露出長が短くなるが、それによる効果については後述する。
【００１８】
嵌合フード２８は、内部に受容空間２８Ｓが形成されており、この受容空間２８Ｓに相手コネクタの嵌合部分を受け入れることで、コネクタ１０と相手コネクタが相互に嵌合される。コンタクト保持壁２１に保持されるコンタクト４０は、前方側が嵌合フード２８に覆われており、受容空間２８Ｓの内部において相手コネクタのコンタクトと電気的に接続される。
【００１９】
保護カバー２９は、上方と幅方向の両側との三方を覆うように形成されており、その内部にコンタクト保持壁２１を貫通するコンタクト４０が配置されることで、コンタクト４０を外力から保護する。保護カバー２９は、その下端部において、タインプレート３０を保持している。タインプレート３０は、表裏を貫通する複数の位置決め孔３１の各々に対応するコンタクト４０を挿通させることにより、コンタクト４０の位置決めを行う。タインプレート３０は、ハウジング２０とは別体として作製され、該当する部位に組み付けられる。
【００２０】
＜コンタクト４０＞
コンタクト４０は、図２に示すように、相手コネクタのコンタクトと接続される部位を有する水平部４２と、回路基板の接続孔に挿入され、回路基板と電気的に接続されるタイン４６を先端に有する垂直部４４と、水平部４２と垂直部４４の境界部に設けられる屈曲部４５とを有している。なお、本実施形態においては、真直なコンタクト４０をハウジング２０に保持させた後に曲げ加工することにより、屈曲部４５を有するＬ字状の形態にする。
コンタクト４０は、水平部４２が嵌合方向Ｘに沿うとともに、垂直部４４は嵌合方向Ｘと直交する高さ方向Ｙに沿うようにハウジング２０に保持される。コンタクト４０は、例えば銅合金のような高導電性の材料から構成される。なお、コンタクト４０の厚さ（高さ方向Ｙの寸法）は一定である。
複数のコンタクト４０のタイン４６が互いに平行に配列されており、且つ全てのコンタクト４０のタイン４６は、回路基板の接続孔と対応するように配列されている。タイン４６は、接続孔においてはんだ付けにより回路基板に固定される。
【００２１】
コンタクト４０は、図１及び図２に示すように、ハウジング２０の幅方向Ｚに沿って複数配列され、また、ハウジング２０の高さ方向Ｙに沿って複数配列されている。この中で、ハウジング２０の最上位に位置する圧入孔２３Ａにて保持されるコンタクト４０（４０Ａとする）は、それよりも下方の圧入孔２３にて保持されるコンタクト４０に比べて、水平部４２から回路基板までの距離が最も離れている。したがって、コンタクト４０Ａは、コンタクト４０の中で露出長が最も長くなるので、振動を受けると最も共振を起こしやすい。そこで、本実施形態は、共振が生じるのを防止するために、コンタクト４０Ａの圧入部分、及び、この圧入部分に対応する圧入孔２３Ａに特徴的な構造を採用する。以下、コンタクト４０Ａの圧入部分の構造及び圧入孔２３Ａの構造について順に説明する。
【００２２】
＜コンタクト４０Ａ＞
コンタクト４０Ａは、図３に示すように、水平部４２に圧入部５０を備えている。なお、図３（ａ）は、コンタクト４０Ａを真直に展開して示している。
圧入部５０は、第１圧入部５１と第２圧入部５５を備えている。コンタクト４０Ａを圧入孔２３Ａに挿入する際に、第２圧入部５５は、圧入のために圧入孔２３Ａに押し込む向き（挿入の向き）の後方に設けられている。
第１圧入部５１は、一対の先行圧入突起５１Ａと一対の後行圧入突起５１Ｂを備える。一対の先行圧入突起５１Ａ及び一対の後行圧入突起５１Ｂは、それぞれ、コンタクト４０Ａの幅方向Ｚの両側から所定量だけ突き出すように形成されている。コンタクト４０Ａを圧入孔２３Ａに挿入する際に、先行圧入突起５１Ａは、後行圧入突起５１Ｂよりも先行して圧入孔２３Ａに挿入される。
第２圧入部５５は、一対の先行圧入突起５５Ａと一対の後行圧入突起５５Ｂを備える。一対の先行圧入突起５５Ａ及び一対の後行圧入突起５５Ｂは、それぞれ、コンタクト４０Ａの幅方向Ｚの両側から所定量だけ突き出すように形成されている。コンタクト４０Ａを圧入孔２３Ａに挿入する際に、先行圧入突起５５Ａは、後行圧入突起５５Ｂよりも先行して圧入孔２３Ａに挿入される。
【００２３】
第１圧入部５１において、先行圧入突起５１Ａよりも後行圧入突起５１Ｂの方が幅方向Ｚに突出する量が大きく、図３（ｃ）に示すように、先行圧入突起５１Ａの突出量をδ１１とし、後行圧入突起５１Ｂの突出量をδ１２とすると、δ１２＞ δ１１ を満足する。つまり、第１圧入部５１において、圧入孔２３Ａに先行して挿入される圧入突起の突出量が小さい。ここで、先行圧入突起５１Ａにおけるコンタクト４０Ａの幅方向Ｚの寸法をＷ５１Ａとし、後行圧入突起５１Ｂにおけるコンタクト４０Ａの幅方向Ｚの寸法をＷ５１Ｂとする。
次に、第２圧入部５５において、先行圧入突起５５Ａよりも後行圧入突起５５Ｂの方が幅方向Ｚに突出する量が大きく、先行圧入突起５５Ａの突出量をδ２１とし、後行圧入突起５５Ｂの突出量をδ２２とすると、δ２２＞ δ２１ を満足する。つまり、第２圧入部５５においても、圧入孔２３Ａに先行して挿入される圧入突起の突出量が小さい。ここで、先行圧入突起５５Ａにおけるコンタクト４０Ａの幅方向Ｚの寸法をＷ５５Ａとし、後行圧入突起５５Ｂにおけるコンタクト４０Ａの幅方向Ｚの寸法をＷ５５Ｂとする。
なお、第１圧入部５１と第２圧入部５５の圧入突起５１Ａ，５１Ｂ，５５Ａ，５５Ｂの突出量を比較すると、以下の条件を満足する。つまり、第２圧入部５５の方が第１圧入部５１よりも突出量が大きく設定されている。
δ２２ ＞ δ２１ ＞ δ１２ ＞ δ１１
【００２４】
コンタクト４０Ａは、第１圧入部５１の先行圧入突起５１Ａと第２圧入部５５の先行圧入突起５５Ａの嵌合方向Ｘの間隔（以下、ピッチ）Ｐは、後述する圧入孔２３Ａの第２圧入孔２５の嵌合方向の寸法（以下、深さ）Ｄと一致するように設定されている。そうすることの理由については、コンタクト４０Ａを圧入孔２３Ａに圧入する過程の説明の部分で言及する。
【００２５】
＜圧入孔２３Ａ＞
次に、圧入孔２３Ａについて、図４を参照して説明する。
圧入孔２３Ａは、圧入サポート２２Ａを含め、コンタクト保持壁２１の表裏を貫通して形成されており、第１圧入孔２４と、第２圧入孔２５と、位置規制孔２６と、誘い込み口２７とを、後方からこの順で備えている。第１圧入孔２４は、第１圧入部５１が圧入されることでコンタクト４０Ａを保持し、第２圧入孔２５は、第２圧入部５５が圧入されることでコンタクト４０Ａを保持する。
第１圧入孔２４は第２圧入孔２５よりも幅方向Ｚの寸法が小さく設定されており、それぞれの幅方向の寸法をＷ２４，Ｗ２５とすると、Ｗ２５＞ Ｗ２４ を満足する。なお、誘い込み口２７を除き、圧入孔２３Ａの高さ方向Ｙの寸法は一定である。また、第１圧入部５１と第２圧入部５５をコンタクト保持壁２１に圧入すると生じる力の向き（圧入の向きとする）は、幅方向Ｚと一致する。
第１圧入孔２４は、第１圧入部５１が圧入される部位であり、第１圧入孔２４における幅Ｗ２４、先行圧入突起５１Ａにおける幅Ｗ５１Ａ及び後行圧入突起５１Ｂにおける幅Ｗ５１Ｂは、Ｗ２４ ＜Ｗ５１Ａ＜Ｗ５１Ｂを満足する。
第２圧入孔２５は、第２圧入部５５が圧入される部位であり、第２圧入孔２５における幅Ｗ２５、先行圧入突起５５Ａにおける幅Ｗ５５Ａ及び後行圧入突起５５Ｂにおける幅Ｗ５５Ｂは、Ｗ２５ ＜Ｗ５５Ａ＜Ｗ５５Ｂを満足する。
ここで、幅Ｗ２４と幅Ｗ５１Ａの差分を第１圧入部５１における圧入代δ１とし、幅Ｗ２５と幅Ｗ５５Ａの差分を、第２圧入部５５における圧入代δ２とすると、δ２＜δ１を満足する。
【００２６】
第２圧入孔２５は、コンタクト４０Ａを挿入する向きｄの寸法（深さ）Ｄが、前述したコンタクト４０Ａにおける第１圧入部５１と第２圧入部５５の間隔Ｐと一致するように形成されている。
【００２７】
次に、位置規制孔２６は、第２圧入孔２５よりも幅広に形成されており、圧入されたコンタクト４０Ａの水平部４２の根元に設けられる幅広の位置決め部４３を受容する。位置規制孔２６と第２圧入孔２５の境界をなす段差に位置決め部４３の後端面が係止されることで、圧入孔２３Ａに挿入する際のコンタクト４０Ａの挿入深さを規制する。
誘い込み口２７は、位置決め部４３を位置規制孔２６に容易に挿入できるように設けられており、前方から後方に向けて開口が縮まるテーパ形状を有している。
【００２８】
以上、コンタクト４０Ａとコンタクト４０Ａが圧入される圧入孔２３Ａについて説明したが、コンタクト４０Ａ以外のコンタクト４０には圧入部が一つだけ設けられ、圧入孔２３Ａ以外の圧入孔２３は幅方向の寸法が一定に形成されている。
【００２９】
＜ハウジング２０へのコンタクト４０の圧入＞
次に、図５及び図６を参照して、圧入孔２３Ａを介してハウジング２０にコンタクト４０Ａを圧入する手順を説明する。
コンタクト４０Ａを誘い込み口２７から圧入孔２３Ａに挿入する（図５（ａ），図６（ａ））。
コンタクト４０Ａを押し込んでいくと、第１圧入部５１が第２圧入孔２５を進む（図６（ｂ））。第１圧入部５１の幅Ｗ５１Ａ，Ｗ５１Ｂが第２圧入孔２５の幅Ｗ２５より狭いので、第１圧入部５１は大きな負荷を受けることがない。したがって、コンタクト４０Ａを容易に押し込むことができるとともに、第１圧入部５１が第２圧入孔２５の周囲のハウジング２０を削って傷をつけることがない。
コンタクト４０Ａを、先行圧入突起５１Ａが第２圧入孔２５と第１圧入孔２４の境界部分の段差に達するまで押し込む。そうすると、第１圧入部５１と第２圧入部５５の間隔Ｐと、第２圧入孔２５の深さＤが等しいので、第２圧入部５５の先行圧入突起５５Ａが第２圧入孔２５の前方に達する（図６（ｃ））。こうして、先行圧入突起５１Ａが第１圧入孔２４に達するとタイミングと、先行圧入突起５５Ａが第２圧入孔２５に達するタイミングを一致させることができる。
【００３０】
さらに、コンタクト４０Ａを押し込むと、第１圧入部５１は圧入されながら第１圧入孔２４を進み、また、第２圧入部５５は圧入されながら第２圧入孔２５を進む。ここで、前述したように、第１圧入孔２４に対する第１圧入部５１の圧入代δ１に比べて第２圧入孔２５に対する第２圧入部５５の圧入代δ２が小さいので、コンタクト４０Ａを押し込む際に受ける抵抗は、第１圧入部５１に比べて第２圧入部５５が小さい。よって、圧入代δ２が圧入代δ１と一致するのに比べて、コンタクト４０Ａを押し込むのに要する力が小さくてすむ。
また、第１圧入孔２４と第２圧入孔２５において、コンタクト４０Ａは、第１圧入部５１と第２圧入部５５がハウジング２０と嵌合方向Ｘの二カ所で接触し、支持されていることになる。ここで、圧入代δ１の大きな第１圧入部５１だけが嵌合方向Ｘの一箇所で支持されながら圧入が進むものとすると、第１圧入部５１よりも前方側に生じる軸力が大きくなり、コンタクト４０Ａが座屈するおそれがある。これに対して、本実施形態のように、第１圧入部５１と第２圧入部５５の二カ所で支持すれば、当該部分の軸力を軽減できるので、第１圧入部５１よりも前方において座屈が生じるのを防止することができる。
【００３１】
コンタクト４０Ａをさらに押し込み、位置規制孔２６と第２圧入孔２５の境界をなす段差に位置決め部４３の後端面が係止されると、一連の圧入作業の手順が完了する（図５（ｂ），図６（ｄ））。なお、図５（ｂ）は、第１圧入部５１及び第２圧入部５５をハウジング２０に干渉して描いているが、この干渉している幅方向Ｚの寸法が圧入代に相当する。
コンタクト４０Ａの圧入は圧入装置を用い、ハウジング２０の各圧入孔２３Ａに、それぞれコンタクト４０Ａを自動的に挿入することができる。コンタクト圧入装置では、圧入孔２３Ａに対するコンタクト４０Ａの押し込みストロークを自動制御することにより、嵌合方向Ｘにおけるコンタクト４０Ａの圧入位置精度を保証することができる。コンタクト４０Ａ以外のコンタクト４０も同様である。
【００３２】
全てのコンタクト４０の圧入が完了したならば、垂直部４４を所定の位置で曲げ加工することにより、屈曲部４５を備えるＬ字状のコンタクト４０が形成される。その後、コンタクト４０のタイン４６が設けられる先端側からタインプレート３０を差し込んでハウジング２０に組み付けることにより、コネクタ１０が得られる。
【００３３】
＜効果＞
以下、本実施形態によるコネクタ１０が奏する効果について説明する。
コネクタ１０は、図２（ｂ）に示すように、最上位に位置するコンタクト４０Ａについて圧入サポート２２Ａの後方へ向けた突出量を大きくして保持長を稼いでいる。したがって、図７に示すように、コンタクト４０Ａよりも下方に位置するコンタクト４０に対応する圧入サポート２２と同程度の突出量とするのに比べて、コンタクト４０Ａの露出長を短くすることができる。したがって、コンタクト４０Ａの固有振動数を変えることにより、コネクタ１０が振動を受けた際にコンタクト４０Ａが共振により破損するのを防止できる。
【００３４】
次に、コネクタ１０は、圧入サポート２２Ａの後方への突出量を大きくしたことに対応して、コンタクト４０Ａに第１圧入部５１と第２圧入部５５を設け、嵌合方向Ｘの二カ所で圧入により保持されている。したがって、コネクタ１０が振動を受けたとしても、この振動に耐え得る保持力を得ることができる。本実施形態の場合、第１圧入部５１の圧入代δ１が第２圧入部５５の圧入代δ２よりも大きいので、第１圧入部５１はコンタクト４０Ａを保持する機能を担い、第２圧入部５５は幅方向Ｚに位置決めする機能を担う。
【００３５】
また、コンタクト４０Ａを圧入孔２３Ａに圧入する過程において、第１圧入部５１と第２圧入部５５の二カ所でコンタクト４０Ａが支持されており、コンタクト４０Ａを強い力で押し込んでも、第１圧入部５１と第２圧入部５５の間でコンタクト４０Ａが傾いて座屈するのを防止することができる。
しかも、本実施形態は、第１圧入部５１における圧入代δ１に比べて第２圧入部５５における圧入代δ２が小さいので、圧入のためにコンタクト４０Ａを圧入孔２３Ａに挿入する力を低く抑えることができる。また、本実施形態においては、第１圧入部５１と第２圧入部５５の間隔Ｐと、第２圧入孔２５の深さＤを等しくしているので、第１圧入部５１と第２圧入部５５の二カ所でコンタクト４０Ａを支持することを担保することができる。
【００３６】
以上、本発明の好ましい実施形態をコネクタ１０に基づいて説明したが、本発明の主旨を逸脱しない限り、上記実施形態で挙げた構成を取捨選択したり、他の構成に適宜変更したりすることができる。
例えば、コンタクト４０Ａについてのみ第１圧入部５１と第２圧入部５５の二つの圧入部を設ける例を示したが、コンタクト４０Ａよりも下方に設けられる他のコンタクト４０についても、必要に応じて二つの圧入部を設けることができる。また、圧入部の数は二つに限るものではなく、本発明は、保持長に応じて三つ以上の圧入部を設けることもできる。
また、第１圧入部５１と第２圧入部５５は、それぞれ、先行圧入突起５１Ａ，５５Ａと後行圧入突起５１Ｂ，５５Ｂの二つの突起を備えているが、本発明は、これに限定されるものではなく、それぞれが一つの突起又は三つ以上の突起を備える形態を包含する。
【００３７】
また、コネクタ１０は、第１圧入部５１と第２圧入部５５の間隔Ｐと第２圧入孔２５の深さＤを一致させて、第１圧入部５１が第１圧入孔２４に圧入されるタイミングと第２圧入部５５が第２圧入孔２５に圧入されるタイミングを一致させる。これは、前述したように、第１圧入部５１と第２圧入部５５の二か所で支持されることを担保するためである。
間隔Ｐと深さＤを一致（Ｐ＝Ｄ）させることは当該効果を得る上で好ましい形態であるが、間隔Ｐが深さＤよりも小さくても（Ｐ＜Ｄ）当該効果を得ることができる。つまり、Ｐ＜Ｄを満たしていれば、第１圧入部５１が第１圧入孔２４に圧入されるよりも、第２圧入部５５が先に第２圧入孔２５に圧入され、その後に、第１圧入孔２４に圧入されることになり、第１圧入部５１だけが単独で第１圧入孔２４に圧入される一箇所支持の状態を避けることができる。この場合には、第２圧入部５５だけが第２圧入孔２５に圧入され一箇所支持の状態が生じるものの、第１圧入部５１が第１圧入孔２４に圧入されるまでの間は、第１圧入部５１と第２圧入部５５の間の連結部には軸力が作用しない。また、第２圧入部５５の圧入代δ２が第１圧入部５１の圧入代δ１よりも小さいので、コンタクト４０の第２圧入部５５よりも荷重付与側に加わる軸力が小さくて済むので、当該部分に座屈が生じるのを避けることができる。
以上の通りであり、本発明において、圧入代δ１の大きい第１圧入部５１だけが第１圧入孔２４に圧入される状態を避けるには、間隔Ｐが深さＤ以下（Ｐ≦Ｄ）であればよい。
【符号の説明】
【００３８】
１０      コネクタ
２０      ハウジング
２１      コンタクト保持壁
２２      圧入サポート
２２Ａ    圧入サポート
２３      圧入孔
２３Ａ    圧入孔
２４      第１保持部
２５      第２保持部
２６      位置規制部
２７      誘い込み口
２８      嵌合フード
２８Ｓ    受容空間
２９      保護カバー
３０      タインプレート
３１      位置決め孔
４０      コンタクト
４０Ａ    コンタクト
４２      嵌合側部
４３      位置決め部
４４      リード側部
４５      屈曲部
４６      タイン
５０      圧入部
５１      第１圧入部
５１Ａ    先行圧入突起
５１Ｂ    後行圧入突起
５５      第２圧入部
５５Ａ    先行圧入突起
５５Ｂ    後行圧入突起
Ｐ        ピッチ
Ｘ        嵌合方向
Ｙ        高さ方向
Ｚ        幅方向
【図１】
2016018595.tif 000003
【図２】
2016018595.tif 000004
【図３】
2016018595.tif 000005
【図４】
2016018595.tif 000006
【図５】
2016018595.tif 000007
【図６】
2016018595.tif 000008
【図７】
2016018595.tif 000009